(57)【要約】【課題】誤接続により生じる事象を予防可能な通信装置及びその制御方法、並びにプログラムを提供する。【解決手段】ファクシミリ装置１００、ＩＰ−ＦＡＸ装置１１００は、電話用インタフェース１２９，１１２９に印加されている電圧を検知し（ステップＳ４０１）、検知された電圧が予め定められた電圧以上か否か判別する（ステップＳ４０２）。検知された電圧が予め定められた電圧以上と判別された場合に（ステップＳ４０２でＹＥＳ）、ユーザに誤接続の可能性があることを通知する（ステップＳ４０３）。【選択図】図４
2015195496.tif 000002
【特許請求の範囲】
【請求項１】
電話機を接続するためのインタフェースと、前記インタフェースに給電する給電部とを有する通信装置であって、
前記インタフェースに印加されている電圧を検知する検知手段と、
前記検知手段により検知された電圧が予め定められた電圧以上か否か判別する判別手段と、
前記判別手段により、前記検知された電圧が前記予め定められた電圧以上と判別された場合に、ユーザに誤接続の可能性があることを通知する通知手段と、
前記判別手段により、前記検知された電圧が前記予め定められた電圧以上ではないと判別された場合に、前記給電部による給電を開始する給電開始手段とを有することを特徴とする通信装置。
【請求項２】
前記判別手段により、前記検知された電圧が前記予め定められた電圧以上と判別された場合に、前記インタフェースに印加されている電圧の電流を流すことを特徴とする請求項１記載の通信装置。
【請求項３】
前記検知手段は、前記通信装置の起動時に前記インタフェースに印加されている電圧を検知することを特徴とする請求項１または請求項２記載の通信装置。
【請求項４】
前記判別手段により検知された電圧が、前記予め定められた電圧以上の場合に、前記インタフェースを電気的に分離することを特徴とする請求項１記載の通信装置。
【請求項５】
前記検知手段が前記インタフェースに印加されている電圧を検知する前に、予め前記インタフェースを電気的に分離することを特徴とする請求項１記載の通信装置。
【請求項６】
電話機を接続するためのインタフェースと、前記インタフェースに給電する給電部とを有する通信装置であって、
前記給電部による間欠給電を開始する間欠給電開始手段と、
前記間欠給電開始手段により間欠給電が開始された後に、前記給電部により給電されていないタイミングで前記インタフェースに印加されている電圧を検知する検知手段と、
前記検知手段により検知された電圧が予め定められた電圧以上か否か判別する判別手段と、
前記判別手段により、前記検知された電圧が前記予め定められた電圧以上ではないと判別された場合に、前記給電部から供給されている電流が予め定められた電流以上か否か判別する他の判別手段と、
前記他の判別手段により、前記給電部から供給されている電流が予め定められた電流以上ではないと判別された場合に、前記給電部により継続して給電させる継続給電手段と、
前記継続給電手段により継続して給電されている状態で、前記インタフェースで予め定められた正弦波を検知する他の検知手段と、
前記判別手段により、前記検知された電圧が前記予め定められた電圧以上と判別された場合、前記他の判別手段により、前記給電部から供給されている電流が予め定められた電流以上と判別された場合、及び前記他の検知手段により、前記インタフェースで予め定められた正弦波を検知された場合に、前記インタフェースへの給電を停止し、ユーザに誤接続の可能性があることを通知する通知手段とを有することを通知することを特徴とする通信装置。
【請求項７】
電話機を接続するためのインタフェースと、前記インタフェースに給電する給電部とを有する通信装置の制御方法であって、
前記インタフェースに印加されている電圧を検知する検知ステップと、
前記検知ステップにより検知された電圧が予め定められた電圧以上か否か判別する判別ステップと、
前記判別ステップにより、前記検知された電圧が前記予め定められた電圧以上と判別された場合に、ユーザに誤接続の可能性があることを通知する通知ステップと、
前記判別ステップにより、前記検知された電圧が前記予め定められた電圧以上ではないと判別された場合に、前記給電部による給電を開始する給電開始ステップとを有することを特徴とする制御方法。
【請求項８】
電話機を接続するためのインタフェースと、前記インタフェースに給電する給電部とを有する通信装置の制御方法であって、
前記給電部による間欠給電を開始する間欠給電開始ステップと、
前記間欠給電開始ステップにより間欠給電が開始された後に、前記給電部により給電されていないタイミングで前記インタフェースに印加されている電圧を検知する検知ステップと、
前記検知ステップにより検知された電圧が予め定められた電圧以上か否か判別する判別ステップと、
前記判別ステップにより、前記検知された電圧が前記予め定められた電圧以上ではないと判別された場合に、前記給電部から供給されている電流が予め定められた電流以上か否か判別する他の判別ステップと、
前記他の判別ステップにより、前記給電部から供給されている電流が予め定められた電流以上ではないと判別された場合に、前記給電部により継続して給電させる継続給電ステップと、
前記継続給電ステップにより継続して給電されている状態で、前記インタフェースで予め定められた正弦波を検知する他の検知ステップと、
前記判別ステップにより、前記検知された電圧が前記予め定められた電圧以上と判別された場合、前記他の判別ステップにより、前記給電部から供給されている電流が予め定められた電流以上と判別された場合、及び前記他の検知ステップにより、前記インタフェースで予め定められた正弦波を検知された場合に、前記インタフェースへの給電を停止し、ユーザに誤接続の可能性があることを通知する通知ステップとを有することを通知することを特徴とする制御方法。
【請求項９】
電話機を接続するためのインタフェースと、前記インタフェースに給電する給電部とを有する通信装置の制御方法をコンピュータに実行させるためのプログラムであって、
前記制御方法は、
前記インタフェースに印加されている電圧を検知する検知ステップと、
前記検知ステップにより検知された電圧が予め定められた電圧以上か否か判別する判別ステップと、
前記判別ステップにより、前記検知された電圧が前記予め定められた電圧以上と判別された場合に、ユーザに誤接続の可能性があることを通知する通知ステップと、
前記判別ステップにより、前記検知された電圧が前記予め定められた電圧以上ではないと判別された場合に、前記給電部による給電を開始する給電開始ステップとを有することを特徴とするプログラム。
【請求項１０】
電話機を接続するためのインタフェースと、前記インタフェースに給電する給電部とを有する通信装置の制御方法をコンピュータに実行させるためのプログラムであって、
前記制御方法は、
前記給電部による間欠給電を開始する間欠給電開始ステップと、
前記間欠給電開始ステップにより間欠給電が開始された後に、前記給電部により給電されていないタイミングで前記インタフェースに印加されている電圧を検知する検知ステップと、
前記検知ステップにより検知された電圧が予め定められた電圧以上か否か判別する判別ステップと、
前記判別ステップにより、前記検知された電圧が前記予め定められた電圧以上ではないと判別された場合に、前記給電部から供給されている電流が予め定められた電流以上か否か判別する他の判別ステップと、
前記他の判別ステップにより、前記給電部から供給されている電流が予め定められた電流以上ではないと判別された場合に、前記給電部により継続して給電させる継続給電ステップと、
前記継続給電ステップにより継続して給電されている状態で、前記インタフェースで予め定められた正弦波を検知する他の検知ステップと、
前記判別ステップにより、前記検知された電圧が前記予め定められた電圧以上と判別された場合、前記他の判別ステップにより、前記給電部から供給されている電流が予め定められた電流以上と判別された場合、及び前記他の検知ステップにより、前記インタフェースで予め定められた正弦波を検知された場合に、前記インタフェースへの給電を停止し、ユーザに誤接続の可能性があることを通知する通知ステップとを有することを通知することを特徴とするプログラム。
【発明の詳細な説明】
【技術分野】
【０００１】
本発明は、通信装置及びその制御方法、並びにプログラムに関する。
【背景技術】
【０００２】
回線交換式の電話回線網（以下、「ＰＴＳＮ」という）に対応したＦＡＸが可能な通信装置の場合、ＰＳＴＮをＦＡＸモデムのみで使用するだけではなく、ＰＳＴＮ対応の電話やハンドセットに回線を切り替え、通話が可能なように構成されているものがある（例えば、特許文献１参照）。
【０００３】
このような通信装置ではＰＳＴＮに接続するモジュラージャックに加えて、同形状の電話やハンドセットを接続するモジュラージャックを持つ。
【０００４】
また、上述した通信装置の場合、ＦＡＸや電話の待ち受けのモードを複数持っていることが一般的である。
【０００５】
そのモードとして、ＦＡＸを自動的に受信する自動受信モード、ＦＡＸか電話かを判断しＦＡＸであればＦＡＸ受信、電話であれば電話機を呼び出すＦＡＸ／ＴＥＬ切り替えモード、及び電話を鳴らしてユーザにＦＡＸか電話か判断させる鳴動設定モードなどが挙げられる。
【０００６】
これらのモードのうち、自動受信モードや、ＦＡＸ／ＴＥＬ切り替えモードの場合、電話やハンドセットのインターフェースはＰＳＴＮやＴＡからの給電が切り離されてしまう。
【０００７】
そのような場合に、電話やハンドセットがオフフックされたことの検知や、電話の呼出し信号を出力するため、通信装置から電話やハンドセットのインタフェースに対して電源を供給する技術がある（例えば、特許文献２参照）。
【０００８】
また近年、従来のＰＳＴＮをＩＰ（Internet Protocol）技術をベースにしたネットワークに置き換え、ＬＡＮまたは次世代ネットワーク(ＮＧＮ：Next Generation Network)でサービスを提供する技術であるＩＰ−ＦＡＸが幅広く普及している。
【０００９】
この技術を使用した画像通信装置であるＩＰ−ＦＡＸ機では、ＬＡＮやＮＧＮとの接続にＲＪ４５というイーサネット（登録商標）ケーブルが使用される。
【００１０】
このような場合でも、ＰＳＴＮで使用していた電話やハンドセットを使用できるように、モジュラージャックを設け、電話やハンドセットへ回線の電圧の供給や、電話の呼出し信号を出力する回路が設けられる。
【００１１】
そして、電話やハンドセットで扱うアナログ音声データ、及びＬＡＮやＮＧＮで扱うデジタル音声データをＩＰ−ＦＡＸ機で変換して通話を可能としている。
【先行技術文献】
【特許文献】
【００１２】
【特許文献１】特開平３−２２７４７号公報
【特許文献２】特開平６−１５０３９６号公報
【発明の概要】
【発明が解決しようとする課題】
【００１３】
ＰＳＴＮで使用する通信装置の場合、同形状のモジュラージャック２種（ＰＳＴＮ／ＴＡ用、電話／ハンドセット用）を持つ。
【００１４】
そのため、ＰＳＴＮやＴＡと接続するモジュラーケーブルを、ＰＳＴＮ／ＴＡ用のモジュラージャックではなく、電話／ハンドセット用のモジュラージャックに誤接続する可能性がある。
【００１５】
また、ＩＰ−ＦＡＸ機でのＩＰ−ＦＡＸのインタフェースは、ＲＪ４５であるが、電話やハンドセットを接続するコネクタとして従来からのモジュラージャックも持っている。
【００１６】
このモジュラージャックに対して、ＰＳＴＮやＴＡと接続するモジュラーケーブルが誤接続される可能性もある。
【００１７】
電話やハンドセットのインタフェースに対してＰＳＴＮやＴＡと接続するモジュラーケーブルが誤接続された場合、想定しないＤＣ４８Ｖの電圧や、電話の呼出し信号のＡＣ１００Ｖ以上の電圧が印加されることになる。
【００１８】
また、電話やハンドセットのインタフェースに対し、通信装置が給電していた場合には、ＰＳＴＮやＴＡからの給電と、通信装置から電話やハンドセットに対する給電がぶつかってしまう。
【００１９】
このような状況が発生してしまうと、ＰＳＴＮやＴＡの給電回路、通信装置の電話やハンドセットの給電回路が故障してしまう恐れがある。
【００２０】
このように、従来の技術では、誤接続によって障害や故障などの事象が生じる可能性があった。
【００２１】
本発明の目的は、誤接続により生じる事象を予防可能な通信装置及びその制御方法、並びにプログラムを提供することにある。
【課題を解決するための手段】
【００２２】
上記目的を達成するために、請求項１の通信装置は、電話機を接続するためのインタフェースと、前記インタフェースに給電する給電部とを有する通信装置であって、前記インタフェースに印加されている電圧を検知する検知手段と、前記検知手段により検知された電圧が予め定められた電圧以上か否か判別する判別手段と、前記判別手段により、前記検知された電圧が前記予め定められた電圧以上と判別された場合に、ユーザに誤接続の可能性があることを通知する通知手段と、前記判別手段により、前記検知された電圧が前記予め定められた電圧以上ではないと判別された場合に、前記給電部による給電を開始する給電開始手段とを有することを特徴とする。
【発明の効果】
【００２３】
本発明によれば、電話機を接続するためのインタフェースに印加されている電圧が予め定められた電圧以上の場合に、ユーザに誤接続の可能性があることを通知するので、誤接続により生じる事象を予防可能となる。
【図面の簡単な説明】
【００２４】
【図１】本発明の実施の形態に係るファクシミリシステムの概略構成を示す図である。
【図２】図１におけるファクシミリ装置の概略構成を示す図である。
【図３】図１におけるＩＰ−ＦＡＸ装置の概略構成を示す図である。
【図４】図４（Ａ）は、図２におけるＣＰＵ２００，１２００により実行される誤接続制御処理の手順を示すフローチャートであり、図４（Ｂ）は、図４（Ａ）の変形例を示すフローチャートである。
【図５】図２におけるＣＰＵにより実行される誤接続制御処理の手順を示すフローチャートである。
【図６】図２におけるＣＰＵにより実行される誤接続制御処理の手順を示すフローチャートである。
【図７】図２におけるＣＰＵにより実行される誤接続制御処理の手順を示すフローチャートである。
【図８】図８（Ａ）は、間欠給電を説明するための図であり、（Ｂ）は電圧を確認するタイミングを示す図であり、（Ｃ）は電流の確認及びダイヤルトーンを検出するタイミングを示す図である。
【発明を実施するための形態】
【００２５】
以下、本発明の実施の形態について図面を参照しながら詳述する。
【００２６】
図１は、本発明の実施の形態に係るファクシミリシステム１０の概略構成を示す図である。
【００２７】
図１において、ファクシミリシステム１０は、ファクシミリ装置１００、ＩＰ−ＦＡＸ装置１１００、及びＶｏＩＰゲートウェイ３０２で構成される。そして、ファクシミリ装置１００は、ＰＳＴＮ網２１０に接続され、ＩＰ−ＦＡＸ装置１１００は、ＩＰ網３０１に接続されている。さらに、ＶｏＩＰゲートウェイ３０２は、ＩＰ網３０１及びＰＳＴＮ網２１０に接続されている。
【００２８】
ファクシミリ装置１００は、ＰＳＴＮ網２１０を介して画像の送受信や電話での通話が可能である。
【００２９】
ＩＰ−ＦＡＸ装置１１００は、ＩＰ網３０１を介して画像の送受信や電話での通話が可能である。
【００３０】
ＶｏＩＰゲートウェイ３０２は、ＩＰ網３０１で扱うデジタルの音声データと、ＰＳＴＮ網２１０で扱うアナログ音声データの変換を行っている。このＶｏＩＰゲートウェイ３０２により、ＰＳＴＮ網２１０とＩＰ網３０１との間で画像データのやりとりや通話が行える。
【００３１】
また、図示されていないが、ファクシミリ装置１００をＩＳＤＮなど他の回線で使用するために、ファクシミリ装置１００をＩＳＤＮ網に接続するＴＡが用いられることもある。本実施の形態では、上述したファクシミリ装置１００、及びＩＰ−ＦＡＸ装置１１００が通信装置に対応する。
【００３２】
図２は、図１におけるファクシミリ装置１００の概略構成を示す図である。
【００３３】
図２において、ファクシミリ装置１００は、通信回線１３０を介してＰＳＴＮ網２１０に接続され、また外付けの電話機１２８が接続されている。
【００３４】
ＳＯＣ（システム・オン・チップ）１０１は、ＣＰＵ２００を備え、ファクシミリ装置１００のシステム全体を制御する。
【００３５】
ＳＯＣ１０１に接続されたメモリ１４０は、主記憶装置であり、ＳＯＣ１０１のＣＰＵ２００のシステムワークメモリや、後述するフローチャートをＣＰＵ２００が実行するためのプログラムを記憶する。
【００３６】
また、メモリ１４０は、ファクシミリ送信、またはファクシミリ受信等の際に、画像データや各種情報を一時的に記憶したり、ユーザが設定した情報を記憶する。
【００３７】
ＳＯＣ１０１には、操作パネル１１８、読み取り部１２１、記録部１２２、及びインタフェース部１２３がさらに接続されている。
【００３８】
このうち、操作パネル１１８は、表示器１１９及びキーボード類１２０を備え、これらはユーザインタフェースとして機能する。
【００３９】
表示器１１９は、ファクシミリ装置１００の状態やメニューなどを表示する。また、キーボード類１２０は、ユーザからの各種指示入力を受け付けるボタンやテンキー等のキーボードである。ユーザは、このキーボードを用いて、例えばユーザ設定情報などの各種情報を入力することができる。
【００４０】
また、読み取り部１２１は、原稿から画像を読み取って、画像データを生成する。生成された画像データは、通信回線１３０を介して相手側装置に対してファクシミリ送信されたり、記録部１２２で印刷されたりする。インタフェース部１２３は、各種の外部機器を接続するためのインタフェースである。
【００４１】
ＳＯＣ１０１には、モデム１０２が接続されており、モデム１０２は、ＳＯＣ１０１による制御に基づいて動作する変復調器である。
【００４２】
モデム１０２は、ファクシミリ送信の対象となる、読み取り部１２１で読み取られた画像データを用いた変調処理と、通信回線１３０を介して受信した信号の復調処理とを行う。また、モデム１０２は、絶縁素子１０３を介してＳＤＡＡ（シリコン・データ・アクセス・アレンジメント）１０４と接続されている。
【００４３】
さらに、モデム１０２は、ＲＯＭ２０３、ＲＡＭ２０４、ＤＳＰ２０５、及びレジスタ２０６を備えている。
【００４４】
ＲＯＭ２０３は、ＤＳＰ２０５に実行されるプログラムを記憶する。ＲＡＭ２０４は、ホストから転送されるプログラム２０２や、ＲＯＭ２０３に記憶されたプログラムが展開される。
【００４５】
ＤＳＰ２０５は、ＲＡＭ２０４に展開されたプログラムを実行する。レジスタ２０６は、ＳＤＡＡ１０４の状態を記憶したり、ＳＯＣ１０１からの指示を記憶する。
【００４６】
ＳＤＡＡ１０４は、網を制御するための半導体ＮＣＵ（ネットワーク制御ユニット）である。
【００４７】
ＳＤＡＡ１０４は、絶縁素子１０３、直流捕捉回路１５４、受信インタフェース回路１５５、及び交流インピーダンス整合回路１５６と接続している。さらに、ＳＤＡＡ１０４は、通信回線１３０に接続されており、ファクシミリ装置１００と通信回線１３０とのインタフェースである。また、ＳＤＡＡ１０４は、通信回線１３０を介して相手側装置との間で通信を行う際に、通信回線１３０の接続状態を制御する。ＳＤＡＡ１０４は、これらの制御をＳＯＣ１０１の制御に基づいて実行する。
【００４８】
また、ＳＤＡＡ１０４は回線捕捉部１０５を備え、回線捕捉部１０５を使用して回線の直流捕捉状態を制御する。
【００４９】
電話機１２８は、Ｈリレー１１０を介して通信回線１３０に接続されており、ＳＤＡＡ１０４は、電話機１２８と並列に通信回線１３０に接続されている。
【００５０】
直流捕捉回路１５４は、ＳＤＡＡ１０４及び整流回路と接続し、トランジスタなどの電流源により構成され、電流源の電流を調整することにより、直流捕捉を行いながら、ＳＤＡＡ１０４の制御で直流インピーダンスの調整に用いられる回路である。
【００５１】
また、直流捕捉回路１５４は、回線開放状態を作り出したり、通信回線１３０に対する選択信号の１種であるダイヤルパルス送出にも使用される。
【００５２】
整流回路１５７は、直流捕捉回路１５４、受信インタフェース回路１５５、交流インピーダンス整合回路１５６、及び保護素子２３０と接続している。この整流回路１５７は、ダイオードブリッジ等からなり、通信回線１３０からの信号を整流してＳＤＡＡ１０４側へと伝える。保護素子２３０は、ヒューズ等で構成される電流保護素子である。
【００５３】
受信インタフェース回路１５５は、通信回線１３０を介して受信されるファクシミリの受信信号などを受信するための回路である。
【００５４】
交流インピーダンス整合回路１５６は、通信中の交流インピーダンスを合わせるための回路であり、日本の場合は、交流インピーダンスを６００オームに合わせる。
【００５５】
ＣＩ検知回路１０８は、通信回線１３０に接続されており、通信回線１３０から受信した呼び出し信号（以下、「ＣＩ信号」という）を検知する。ＣＩ検知回路１０８は、通信回線からのＣＩ信号を検知すると、そのことを示すＣＩ検知信号１０９をＳＯＣ１０１に対して送信する。ＳＯＣ１０１は、ＣＩ検知信号１０９に基づいて、通信回線からＣＩ信号の着信があったか否かを判別することができる。
【００５６】
Ｈリレー１１０は、フック検知回路１１７を介して接続される外付けの電話機１２８をＤＣ電源１１３、または通信回線１３０に接続する。具体的に、Ｈリレー１１０は、外付けの電話機１２８を通信回線１３０へ接続した接続状態と、通信回線１３０から切断した切断状態との間の切り替えを行う。
【００５７】
また、Ｈリレー１１０は、Ｈリレー駆動信号１１１を用いて、ＳＯＣ１０１によって制御される。
【００５８】
なお、図１に示すようにＨリレー１１０で電話機１２８が通信回線１３０から切り離されている場合、ＣＩ信号が着信しても電話機は鳴動しない。この状態は、ファクシミリ装置１００の無鳴動着信状態といわれる。
【００５９】
ＤＣ電源１１３は、電話用インタフェース１２９に給電する給電部に対応し、電話用インタフェース１２９に給電することで、電話機１２８に対して電流供給する。上述した無鳴動状態の際にＤＣ電源１１３は電話機１２８に電流を供給する。また、ＤＣ電源１１３は自身の出力した電流を確認することも可能である。また、ＤＣ電源１１３は、電流検知信号１１２により、ＤＣ電源１１３で確認した電流値をＳＯＣ１０１に通知する。
【００６０】
フック検知回路１１７は、電話機１２８と接続されており、電話機１２８のオフフックまたはオンフックを検知する。フック検知回路１１７は、電話機１２８のオフフックまたはオンフックの検知結果を、フック検知信号１１４を用いてＳＯＣ１０１へ伝達する。ＳＯＣ１０１は、フック検知信号１１４により、電話機１２８におけるフックの状態を判別することができる。
【００６１】
また、フック検知回路１１７は、Ｈリレー１１０によって、通信回線１３０に直接接続された場合、及びＤＣ電源１１３に接続された場合のいずれも、電話機１２８に流れる電流を検知する。
【００６２】
このよう電話機１２８に流れる電流を検知することで、フック検知回路１１７は、電話機１２８におけるオフフック又はオンフックの状態を検知する。
【００６３】
電話用インタフェース１２９はファクシミリ装置１００に電話機１２８を接続するためのモジュラーコネクタである。この電話用インタフェース１２９に接続される機器は、電話機１２８に限らず、接続先をＰＳＴＮとする機器であり、例えばハンドセットなども含まれる。
【００６４】
擬似ＣＩ送出回路１１６は、ＳＯＣ１０１からの擬似ＣＩ駆動信号１１５に応じて、擬似ＣＩ信号を電話機１２８に対して送出する回路である。疑似ＣＩ信号とは、通信回線１３０を介して相手側装置からのＣＩ着信があった場合に、回線から切断された状態にある電話機１２８を鳴動させるために、電話機１２８に対して送信される信号である。
【００６５】
電圧検知部１５０は、電話用インタフェース１２９での電圧を検知する。電圧検知部１５０は、電圧を検知したことを、電圧検知信号１５１を用いてＳＯＣ１０１へ伝達する。
【００６６】
分離／接続部１５２は、ＳＯＣ１０１からの分離／接続信号１５３に応じて、電話用インタフェース１２９を分離または接続する。分離／接続部１５２はメカリレーを用いてもよいし、ＦＥＴ等を用いてもよい。
【００６７】
図３は、図１におけるＩＰ−ＦＡＸ装置１１００の概略構成を示す図である。
【００６８】
図３において、ＩＰ−ＦＡＸ装置１１００は、ＩＰ網３０１に接続され、また外付けの電話機１１２８が接続されている。
【００６９】
ＳＯＣ（システム・オン・チップ）１１０１は、ＣＰＵ１２００を備え、ＩＰ−ＦＡＸ装置１１００のシステム全体を制御する。
【００７０】
ＳＯＣ１１０１に接続されたメモリ１１４０は、主記憶装置であり、ＳＯＣ１１０１のＣＰＵ２００のシステムワークメモリや、後述するフローチャートをＣＰＵ１２００が実行するためのプログラムを記憶する。
【００７１】
また、メモリ１１４０は、ＩＰ−ＦＡＸ送信、またはＩＰ−ＦＡＸ受信等の際に、画像データや各種情報を一時的に記憶したり、ユーザが設定した情報を記憶する。
【００７２】
ＳＯＣ１１０１には、操作パネル１１１８、読み取り部１１２１、記録部１１２２、及びネットワークインタフェース部１１２３がさらに接続されている。
【００７３】
このうち、操作パネル１１１８は、表示器１１１９及びキーボード類１１２０を備え、これらはユーザインタフェースとして機能する。
【００７４】
表示器１１１９は、ＩＰ−ＦＡＸ装置１１００の状態やメニューなどを表示する。また、キーボード類１１２０は、ユーザからの各種指示入力を受け付けるボタンやテンキー等のキーボードである。ユーザは、このキーボードを用いて、例えばユーザ設定情報などの各種情報を入力することができる。
【００７５】
また、読み取り部１１２１は、原稿から画像を読み取って、画像データを生成する。生成された画像データは、ネットワークインタフェース部１１２３を介して相手側装置に対してＩＰ−ＦＡＸ送信されたり、記録部１１２２で印刷されたりする。
【００７６】
ＳＯＣ１１０１には、モデム１１０２が接続されており、モデム１１０２は、ＳＯＣ１１０１による制御に基づいて動作する変復調器である。
【００７７】
モデム１１０２は、ＩＰ−ＦＡＸのうちのネットワーク経由でＴ．３０のプロトコルで通信を行う。そして、モデム１１０２は、読み取り部１１２１で読み取られた画像データをデジタル音声データに変換したり、ネットワークインタフェース部１１２３で受信したＴ．３０に対応したデジタル音声データを画像データに変換する。
【００７８】
さらに、モデム１１０２は、ＲＯＭ１２０３、ＲＡＭ１２０４、ＤＳＰ１２０５、及びレジスタ１２０６を備えている。
【００７９】
ＲＯＭ１２０３は、ＤＳＰ１２０５に実行されるプログラムを記憶する。ＲＡＭ１２０４は、ホストから転送される不図示のプログラムや、ＲＯＭ１２０３に記憶されたプログラムが展開される。
【００８０】
ＤＳＰ１２０５は、ＲＡＭ１２０４に展開されたプログラムを実行する。レジスタ１２０６は、ＳＯＣ１１０１からの指示を記憶する。
【００８１】
ＤＣ電源１１１３は電話機１１２８に対して電流供給する。また、ＤＣ電源１１１３は自身の出力した電流を確認することも可能である。また、ＤＣ電源１１１３は、電流検知信号１１１２により、ＤＣ電源１１１３で確認した電流値をＳＯＣ１１０１に通知する。
【００８２】
フック検知回路１１１７は、電話機１１２８と接続されており、ＤＣ電源１１１３から供給される電流をもとに、電話機１２８のオフフックまたはオンフックを検知する。フック検知回路１１１７は、電話機１２８のオフフックまたはオンフックの検知結果を、フック検知信号１１１４を用いてＳＯＣ１１０１へ伝達する。ＳＯＣ１１０１は、フック検知信号１１１４により、電話機１１２８におけるフックの状態を判別することができる。
【００８３】
電話用インタフェース１１２９はＩＰ−ＦＡＸ装置１１００に電話機１１２８を取りつけるモジュラーコネクタである。
【００８４】
擬似ＣＩ送出回路１１１６は、ＳＯＣ１１０１からの擬似ＣＩ駆動信号１１１５に応じて、擬似ＣＩ信号を電話機１１２８に対して送出する回路である。疑似ＣＩ信号とは、電話機１１２８を鳴動させるために、電話機１１２８に対して送信される信号である。
【００８５】
電圧検知部１１５０は、電話用インタフェース１１２９での電圧を検知する。電圧検知部１１５０は、電圧を検知したことを、電圧検知信号１１５１を用いてＳＯＣ１１０１へ伝達する。
【００８６】
アナログデジタル音声変換部１３０１は、電話機１１２８のアナログ音声信号をネットワークに送信するデジタル音声信号１３０２に変換したり、ネットワークから受信したデジタル音声信号１３０２を電話機１１２８で聞くことができるアナログ音声信号に変換する。
【００８７】
分離／接続部１１５２は、ＳＯＣ１１０１からの分離／接続信号１１５３に応じて、電話用インタフェース１１２９を分離または接続する。分離／接続部１１５２はメカリレーを用いてもよいし、ＦＥＴ等を用いてもよい。
【００８８】
以下、フローチャートについて説明するが、いずれのフローチャートもファクシミリ装置１００及びＩＰ−ＦＡＸ装置１１００に共通する処理である。そのため、各フローチャートにおける説明では、各々の構成要素が用いられるが、その場合、「ＣＰＵ２００，１２００」のように、「ファクシミリ装置１００の構成要素の符号、ＩＰ−ＦＡＸ装置１１００の構成要素の符号」という順番で記載する。
【００８９】
図４（Ａ）は、図２におけるＣＰＵ２００，１２００により実行される誤接続制御処理の手順を示すフローチャートである。
【００９０】
図４（Ａ）において、電圧検知部１５０，１１５０は、電話用インタフェース１２９，１１２９での電圧を検知することで電圧を確認する（ステップＳ４０１）。このステップＳ４０１と後述するステップＳ６０１，７０２は、電話用インタフェース１２９，１１２９に印加されている電圧を検知する検知手段に対応する。
【００９１】
次いで、電圧検知部１５０，１１５０により確認された電圧が、予め定められた電圧以上か否か判別する（ステップＳ４０２）。このステップＳ４０２と後述するステップＳ６０２，７０３は、検知された電圧が予め定められた電圧以上か否か判別する判別手段に対応する。
【００９２】
ステップＳ４０２の判別の結果、確認された電圧が、予め定められた電圧以上の場合には（ステップＳ４０２でＹＥＳ）、ユーザに対して誤接続の可能性があること示す画面を表示器１１９，１１１９で表示し（ステップＳ４０３）、ステップＳ４０２に戻る。このステップＳ４０３と、後述するステップＳ６０４，７０４は、検知された電圧が予め定められた電圧以上と判別された場合に、ユーザに誤接続の可能性があることを通知する通知手段に対応する。
【００９３】
一方、ステップＳ４０２の判別の結果、確認された電圧が、予め定められた電圧以上ではない場合には（ステップＳ４０２でＮＯ）、上記ステップＳ４０３で画面を表示したか否か判別する（ステップＳ４０４）。
【００９４】
ステップＳ４０４の判別の結果、画面を表示していない場合には（ステップＳ４０４でＮＯ）、電話用インタフェース１２９，１１２９にＤＣ電源１１３，１１１３が給電を開始して（ステップＳ４０６）、本処理を終了する。このステップＳ４０６と後述するステップＳ６０８，７０８は、検知された電圧が予め定められた電圧以上ではないと判別された場合に、ＤＣ電源１１３，１１１３による給電を開始する給電開始手段に対応する。
【００９５】
一方、ステップＳ４０４の判別の結果、画面を表示した場合には（ステップＳ４０４でＹＥＳ）、画面を消去して（ステップＳ４０５）、上記ステップＳ４０６に進む。
【００９６】
図４（Ａ）の誤接続制御処理により、電話用インタフェース１２９，１１２９に公衆電話網やＴＡに接続されたモジュラーケーブルが誤接続された場合でも、公衆電話網やＴＡの給電回路と、ファクシミリ装置１００、ＩＰ−ＦＡＸ装置１１００の給電回路の衝突がなくなるので、故障を防止することができる。
【００９７】
また、ファクシミリ装置１００、ＩＰ−ＦＡＸ装置１１００にてＤＣ電源１１３，１１１３からの給電が必要なケースでは、電話機１２８，１１２８がフックアップされたのを検出するために給電は継続して行う必要がある。
【００９８】
図４（Ａ）の誤接続制御処理は、ファクシミリ装置１００、ＩＰ−ＦＡＸ装置１１００に電源が投入され、ファクシミリ装置１００、ＩＰ−ＦＡＸ装置１１００が起動時に実行するようにしてもよい。
【００９９】
図４（Ｂ）は、図４（Ａ）の変形例を示すフローチャートである。
【０１００】
この図４（Ｂ）のフローチャートは、図４（Ａ）のステップＳ４０３とステップＳ４０２との間に挿入される。
【０１０１】
まず上記ステップＳ４０３で、ユーザに対して誤接続の可能性があること示す画面を表示器１１９，１１１９で表示すると、次に電話用インタフェース１２９，１１２９に印加されている電圧の電流を流す（ステップＳ５０４）。このように、本実施の形態では、検知された電圧が予め定められた電圧以上と判別された場合に、電話用インタフェース１２９，１１２９に印加されている電圧の電流を流すようになっている。
【０１０２】
ここでの電流の流し方は、ＤＣ電源１１３，１１１３を用いて抵抗値を下げる方法や、別途抵抗値を下げるような仕組みを設けて電流を流す方法でもよい。
【０１０３】
次いで、誤接続が回避されると（ステップＳ５０５でＹＥＳ）、上記ステップＳ４０２に戻る。誤接続が回避されたことは、画面を見て誤接続を回避したユーザにより入力される。従って、ユーザにより誤接続が回避されたことが入力された場合にステップＳ５０５で肯定判別される。
【０１０４】
図４（Ｂ）の誤接続制御処理によれば、電流を流すことで、公衆電話網やＴＡは電話回線が使用中であると判別されることとなる。この場合、公衆電話網やＴＡからのＤＣ４８Ｖが印加されることによる故障を予防することにはならないが、電話のベルを鳴らす呼出し信号の電圧であるＡＣ１００Ｖ以上の電圧が印加されなくなるので、故障を予防することができる。
【０１０５】
図５は、図２におけるＣＰＵ２００，１２００により実行される誤接続制御処理の手順を示すフローチャートである。
【０１０６】
図５において、電圧検知部１５０，１１５０は、電話用インタフェース１２９，１１２９での電圧を検知することで電圧を確認する（ステップＳ６０１）。
【０１０７】
次いで、電圧検知部１５０，１１５０により確認された電圧が、予め定められた電圧以上か否か判別する（ステップＳ６０２）。
【０１０８】
ステップＳ６０２の判別の結果、確認された電圧が、予め定められた電圧以上の場合には（ステップＳ６０２でＹＥＳ）、分離／接続部１５２、１１５２は、電話用インタフェース１２９，１１２９を分離する（ステップＳ６０３）。このように本実施の形態では、検知された電圧が、予め定められた電圧以上の場合に、電話用インタフェース１２９，１１２９を電気的に分離するようになっている。
【０１０９】
そして、ユーザに対して誤接続の可能性があること示す画面を表示器１１９，１１１９で表示し（ステップＳ６０４）、ステップＳ６０２に戻る。
【０１１０】
一方、ステップＳ６０２の判別の結果、確認された電圧が、予め定められた電圧以上ではない場合には（ステップＳ６０２でＮＯ）、上記ステップＳ６０４で画面を表示したか否か判別する（ステップＳ６０５）。
【０１１１】
ステップＳ６０５の判別の結果、画面を表示していない場合には（ステップＳ６０５でＮＯ）、電話用インタフェース１２９，１１２９にＤＣ電源１１３，１１１３が給電を開始して（ステップＳ６０８）、本処理を終了する。
【０１１２】
一方、ステップＳ６０５の判別の結果、画面を表示した場合には（ステップＳ６０５でＹＥＳ）、分離／接続部１５２、１１５２は、電話用インタフェース１２９，１１２９を接続して（ステップＳ６０６）、画面を消去して（ステップＳ６０７）、上記ステップＳ６０８に進む。
【０１１３】
図５の誤接続制御処理によれば、電話用インタフェース１２９，１１２９に公衆電話網やＴＡに接続されたモジュラーケーブルが誤接続された場合でも、電話用インタフェース１２９，１１２９を分離することで、公衆電話網やＴＡからＤＣ４８Ｖが印加される期間を短くし、電話のベルを鳴らす呼出し信号の電圧であるＡＣ１００Ｖ以上の電圧が印加されなくなるので、故障を予防することができる。
【０１１４】
図６は、図２におけるＣＰＵ２００，１２００により実行される誤接続制御処理の手順を示すフローチャートである。
【０１１５】
図６において、分離／接続部１５２、１１５２は、電話用インタフェース１２９，１１２９を分離する（ステップＳ７０１）。このように、本実施の形態では、電話用インタフェース１２９，１１２９に印加されている電圧を検知する前に、予め電話用インタフェース１２９，１１２９を電気的に分離するようになっている。
【０１１６】
次いで、電圧検知部１５０，１１５０は、電話用インタフェース１２９，１１２９での電圧を検知することで電圧を確認する（ステップＳ７０２）。
【０１１７】
次いで、電圧検知部１５０，１１５０により確認された電圧が、予め定められた電圧以上か否か判別する（ステップＳ７０３）。
【０１１８】
ステップＳ７０３の判別の結果、確認された電圧が、予め定められた電圧以上の場合には（ステップＳ７０３でＹＥＳ）、ユーザに対して誤接続の可能性があること示す画面を表示器１１９，１１１９で表示し（ステップＳ７０４）、ステップＳ７０３に戻る。
【０１１９】
一方、ステップＳ７０３の判別の結果、確認された電圧が、予め定められた電圧以上ではない場合には（ステップＳ７０３でＮＯ）、上記ステップＳ７０４で画面を表示したか否か判別する（ステップＳ７０５）。
【０１２０】
ステップＳ７０５の判別の結果、画面を表示していない場合には（ステップＳ７０５でＮＯ）、電話用インタフェース１２９，１１２９にＤＣ電源１１３，１１１３が給電を開始して（ステップＳ７０８）、本処理を終了する。
【０１２１】
一方、ステップＳ７０５の判別の結果、画面を表示した場合には（ステップＳ７０５でＹＥＳ）、分離／接続部１５２、１１５２は、電話用インタフェース１２９，１１２９を接続して（ステップＳ７０６）、画面を消去して（ステップＳ７０７）、上記ステップＳ７０８に進む。
【０１２２】
図６の誤接続制御処理によれば、電話用インタフェース１２９，１１２９を予め分離することで、電話用インタフェース１２９，１１２９に公衆電話網やＴＡに接続されたモジュラーケーブルが誤接続された場合でも、電話用インタフェース１２９，１１２９に対して、公衆電話網やＴＡからＤＣ４８Ｖが印加されることもなく、電話のベルを鳴らす呼出し信号の電圧であるＡＣ１００Ｖ以上の電圧が印加されなくなるので、故障を予防することができる。
【０１２３】
図７は、図２におけるＣＰＵ２００，１２００により実行される誤接続制御処理の手順を示すフローチャートである。
【０１２４】
この図７の誤接続制御処理は、電話用インタフェース１２９，１１２９に給電を開始した後に、電話用インタフェース１２９，１１２９に公衆電話網やＴＡに接続されたモジュラーケーブルが誤接続され、ＤＣ４８Ｖが印加された場合の処理を示している。
【０１２５】
図７において、ＤＣ電源１１３、１１１３が間欠給電を開始する（ステップＳ８０１）。この間欠給電については後述する。このステップＳ８０１は、ＤＣ電源１１３，１１１３による間欠給電を開始する間欠給電開始手段に対応する。
【０１２６】
次いで、電圧検知部１５０，１１５０は、電話用インタフェース１２９，１１２９での電圧を給電されていないタイミングで検知することで電圧を確認する（ステップＳ８０２）。このステップＳ８０２は、間欠給電が開始された後に、ＤＣ電源１１３，１１１３により給電されていないタイミングで電話用インタフェース１２９，１１２９に印加されている電圧を検知する検知手段に対応する。
【０１２７】
次いで、電圧検知部１５０，１１５０により確認された電圧が、予め定められた電圧以上か否か判別する（ステップＳ８０３）。このステップＳ８０３は、検知された電圧が予め定められた電圧以上か否か判別する判別手段に対応する。
【０１２８】
ステップＳ８０３の判別の結果、確認された電圧が、予め定められた電圧以上の場合には（ステップＳ８０３でＹＥＳ）、ユーザに対して誤接続の可能性があること示す画面を表示器１１９，１１１９で表示し、さらにＤＣ電源１１３、１１１３からの給電を停止する（ステップＳ８０４）。このステップＳ８０４は、電話用インタフェース１２９，１１２９の給電を停止し、ユーザに誤接続の可能性があることを通知する通知手段に対応する。
【０１２９】
次いで、誤接続が回避されると（ステップＳ８０５でＹＥＳ）、画面を消去して（ステップＳ８０６）、上記ステップＳ８０１に進む。誤接続が回避されたことは、画面を見て誤接続を回避したユーザにより入力される。従って、ユーザにより誤接続が回避されたことが入力された場合にステップＳ８０５で肯定判別される。
【０１３０】
一方、ステップＳ８０３の判別の結果、確認された電圧が、予め定められた電圧以上ではない場合には（ステップＳ８０３でＮＯ）、ＤＣ電源１１３、１１１３から供給されている電流が、予め定められた電流以上か否か判別する（ステップＳ８０７）。電流を確認するタイミングについては後述する。このステップＳ８０７は、検知された電圧が予め定められた電圧以上ではないと判別された場合に、ＤＣ電源１１３、１１１３から供給されている電流が予め定められた電流以上か否か判別する他の判別手段に対応する。
【０１３１】
ステップＳ８０７の判別の結果、流れている電流が、予め定められた電流以上の場合には（ステップＳ８０７でＹＥＳ）、上記ステップＳ８０４に進む。
【０１３２】
一方、ステップＳ８０７の判別の結果、流れている電流が、予め定められた電流以上ではない場合には（ステップＳ８０７でＮＯ）、ＤＣ電源１１３、１１１３から継続して給電する（ステップＳ８０８）。このステップＳ８０８は、ＤＣ電源１１３、１１１３から供給されている電流が予め定められた電流以上ではないと判別された場合に、ＤＣ電源１１３、１１１３により継続して給電させる継続給電手段に対応する。
【０１３３】
次いで、ダイヤルトーンが検知されたか否か判別する（ステップＳ８０９）。ダイヤルトーンとは、公衆電話網やＴＡが出力している正弦波である。このダイヤルトーンがある場合は、誤接続されていると判別し、ダイヤルトーンが無い場合は、電話機が接続されていると判別する。ダイヤルトーンを検出するタイミングについては後述する。このステップＳ８０９は、継続して給電されている状態で、電話用インタフェース１２９，１１２９で予め定められた正弦波を検知する他の検知手段に対応する。
【０１３４】
ステップＳ８０９の判別の結果、ダイヤルトーンが検知された場合には（ステップＳ８０９でＹＥＳ）、上記ステップＳ８０４に進む。
【０１３５】
一方、ステップＳ８０９の判別の結果、ダイヤルトーンが検知されなかった場合には（ステップＳ８０９でＮＯ）、本処理を終了する。
【０１３６】
図８（Ａ）は、間欠給電を説明するための図であり、（Ｂ）は電圧を確認するタイミングを示す図であり、（Ｃ）は電流の確認及びダイヤルトーンを検出するタイミングを示す図である。
【０１３７】
図８に示されるグラフの横軸は、時間を示している。また図８に示されるグラフのうち、（Ａ）（Ｂ）のグラフの縦軸は、電圧を示し、（Ｃ）のグラフの縦軸は、電流を示している。
【０１３８】
図８（Ａ）では、一定時間ごとに約４８Ｖで間欠給電する様子が示されている。上記ステップＳ８０１では、このような間欠給電が行われる。
【０１３９】
図８（Ｂ）では、給電されていないタイミングで電圧を確認することが示されている。上記ステップＳ８０２では、このような給電されていないタイミングで電圧を確認する。
【０１４０】
図８（Ｃ）では、Ｔ０〜Ｔ１で電流を確認し、Ｔ２以降にダイヤルトーンを検知することが示されている。
【０１４１】
このように、ステップＳ８０７では、Ｔ０〜Ｔ１のタイミングでＤＣ電源１１３、１１１３から流れている電流を確認し、ステップＳ８０９では、Ｔ２以降のタイミングでダイヤルトーンを検知する。
【０１４２】
図７の誤接続制御処理によれば、電話用インタフェース１２９，１１２９に給電し、ダイヤルトーンの検知を行いながら、電話用インタフェース１２９，１１２９に公衆電話網やＴＡに接続されたモジュラーケーブルが誤接続されたことを認識することで、故障を予防することができる。
【０１４３】
以上説明した実施の形態では、誤接続の可能性があること示す画面を表示器１１９，１１１９で表示することでユーザに通知しているが、これに代えて、例えば誤接続の可能性がある場合に点灯するＬＥＤを用いるようにしてもよい。
【０１４４】
本実施の形態によれば、電話用インタフェース１２９，１１２９に印加されている電圧を検知し（ステップＳ４０１）、検知された電圧が予め定められた電圧以上か否か判別する（ステップＳ４０２）。
【０１４５】
そして、検知された電圧が予め定められた電圧以上と判別された場合に（ステップＳ４０２でＹＥＳ）、ユーザに誤接続の可能性があることを通知するので（ステップＳ４０３）、従来技術と比較して、誤接続により生じる事象を予防可能となる。
【０１４６】
こうしてユーザに誤接続の可能性があることを通知することにより、故障、または故障し難くすることが可能となる。
【０１４７】
（他の実施の形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【０１４８】
１０  ファクシミリシステム
１００  ファクシミリ装置
１０２，１１０２  モデム
１１０  Ｈリレー
１１３，１１１３  ＤＣ電源
１１，１１１９  表示器
１２９，１１２９  電話用インタフェース
２０３，１２０３  モデム
２０４，１２０４  ＲＯＭ
２０５，１２０５  ＲＡＭ
１４０，１１４０  メモリ
１５２，１１５２  分離／接続部
１５０，１１５０  電圧検知部
２００，１２００  ＣＰＵ
【図１】
2015195496.tif 000003
【図２】
2015195496.tif 000004
【図３】
2015195496.tif 000005
【図４】
2015195496.tif 000006
【図５】
2015195496.tif 000007
【図６】
2015195496.tif 000008
【図７】
2015195496.tif 000009
【図８】
2015195496.tif 000010